(57)【要約】【課題】従来の防鳥器具は、屋外に暫く曝されると、上か下何処から共なく、１匹が侵入し始めると、他の鳥達も其れを見ていて侵入し始めると云う課題があった。【解決手段】成型された鷹全体を黒色とし，嘴・頭上・目。翼・足の銀紙・銀色で遠くからでも鳥の目を引き付け、下弦前方に突き出した頭の目が、下の守ろうとする範囲を見通し，且つ異様な突起物に、カラスを始めヒヨドリ・スズメ等一度見た鳥は、鳥達の習性として、此の縄張りの主と認めるかの様に恐れ飛び去り、決して近寄らないので，一定範囲の鳥の侵入を防止する事できる物である。【選択図】図２
2012139187.tif 000002
【特許請求の範囲】
【請求項１】
成型された鷹の本体の、両翼の先端に、雨で崩れない薄手の突起物を備えている。
【請求項２】
上記突起物は、本体裏側にて、風で一定方向にしか動かない装置を有する。
【請求項３】
成型鷹の本体は、二色の組み合わせによる、色の相乗効果を高める為の黒色とし、嘴・頭・目・両翼・足に銀紙または銀色を施してある。
【請求項４】
やや下弦に突き出した頭の目は、水平線より下を向いている事を特徴としている。
【発明の詳細な説明】
【技術分野】
【０００１】  本発明は、カラス・小鳥等の防鳥器具に関するものである。
【背景技術】
【０００２】  従来の防鳥器具には、鳥の模造体に物を掴ませた形をした物がある。（例えば、突許文献１参照）や、蛇（特許文献２参照）や、長い帯状の物（特許文献３参照）がある。
【先行技術文献】
【特許文献】
【０００３】
【特許文献１】特開平１１−２６２３５３
【０００４】
【特許文献２】特開平１１−９６
【０００５】
【特許文献３】登録実用新案第３１３７１７８号
【発明の概要】
【発明が解決しようとする課題】
【０００６】  従来の物では，利口な鳥は数日の内には見破り何処からともなく入って来て、完全に侵入を防ぎえなかった。本発明は、これ等の問題を解決する為の物である。
【課題を解決するための手段】
【０００７】  上記の課題を解決する為、鷹の模造体の翼の先端に、鳥に恐怖感を与える形に造られた見慣れぬ形の突起物を差した。是は風で動く様にした。また二色の色の組み合わせに因り生ずる相乗効果を求めるため、本体を黒とし，頭上・嘴・翼・目・足に、銀紙又は銀色を施した。そして下弦に突き出した頭の目は、水平線より下を向くように構成した物である。
【発明の効果】
【０００８】本体を日に当たる様に向け、３．５メートル程の支柱に取り付け立てると、その前方約２０メートル前後半径内にはカラス・小鳥等一切侵入出来ない。カラス等も遠くからじっと警戒して見て居るだけで５０メートル前後以内に決して近寄らない。裏面も真っ黒い鷹のシルエットに成り異様さを漂わせる。
【図面の簡単な説明】
【０００９】
【図１】本発明  鷹の正面図。
【図２】同  前方翼  先端部の突起物。
【図３】同  後方翼  先端部の突起物。
【図４】同  突起物下部の  動く装置。
【図５】同  頭部と尾部の斜視図。
【発明を実施するための形態】
【００１０】  以下本発明の実施の形態を図〜１  図５  に基づいて説明する。
【００１１】図１は鷹の等身大より多少大きめに成型され、１全体が黒色で、６嘴・７頭上・８目・９・１０の両翼・１１足の其々に銀紙・銀色を施し、８目は水平線より下を向く。
【００１２】図２は、鳥に恐怖感を与える為に、２・３の様な定型的でない形をした、雨に溶けたり崩れたりしない  薄い物で造られている。
【００１３】図３も図２と同じ、形は前方２の突起物より少し小さい．
【００１４】図４は、連結している上の突起物２と３が風で一定方向にしか動かない装置。板棒１２の支点となる穴１３が其の中を通る心棒１４より大きめに作ってあることと、板棒の下部１２が，同ケース１８の中で、ケース内の横幅１５・１６と厚さ１７の一定空間の中で動くので、上の突起物２と３は、Ａ．Ｂ．Ｃ．Ｄの一定方向にしか動かない。
然し、突起物は動かなければ、効力がないと云う物では全く無い。突起物其の物に効力があるものである。
【００１５】図５は、頭部と尾部の斜視図で、頭部は全面より見て半立体的に見える形となり、嘴６・頭上７・目８に銀紙・銀色が施してある。裏面６は成型の凹凸、１０は外周鍔．
【符号の説明】
【００１６】１成型された鷹の本体・黒色。
２前翼の突起物
３後ろ翼の突起物
４背面にあって、突起物を動かす装置。
５背面にあって、突起物を  動かす装置。
６銀紙・銀色の嘴。
７頭上の銀紙・銀色。
８銀紙・銀色の目．
９前翼部の銀紙・銀色。
１０後ろ翼部の銀紙・銀色。
１１銀紙・銀色の両足。
１２外周鍔。
１３・１４金型の裏面凹凸。
【実施例】
【００１７】自宅は商店街の飲食店街の裏通りにあり、ごみ袋を漁りに、カサスやスズメの集まる所、その３階バルコニーに、高さ２メートル程のピラカンサスの実が毎年たわわに成る。何年もの間、金型猛禽の模造体に上記場所に銀紙を施し立てるが４・５日で完全に食べ尽くされて居た。其の為突起物を考案し，其れを本図２・３の様に差したところ、ピラカンサスの実に今年９月より１１月まで１切の鳥を含め侵入されていない．飛来したカラスが是を見た途端方向を変え急遽遠ざかって行く。
【産業の利用可能性】
【００１８】鳥の被害に悩まされている、農・畜産物関係の方々、国外貧しい農村の方々の手助けの出来る、産業上のきわめて有意義なものと成り得る。
【図１】
2012139187.tif 000003
【図２】
2012139187.tif 000004
【図３】
2012139187.tif 000005
【図４】
2012139187.tif 000006
【図５】
2012139187.tif 000007
【手続補正書】
【提出日】平成24年3月9日(2012.3.9)
【手続補正１】
【補正対象書類名】明細書
【補正対象項目名】全文
【補正方法】変更
【補正の内容】
【発明の詳細な説明】
【技術分野】
【０００１】
本発明は防鳥器具、より詳細には、カラス等の好ましくない鳥の飛来を防止するために、田畑や果樹園等に設置する防鳥器具に関するものである。
【背景技術】
【０００２】
防鳥器具は、穀物や果樹等が鳥によって食い荒らされることを防止するために、田畑や果樹園、あるいは、公園等に設置される。従来提唱されている防鳥器具としては、鳥の模造体を利用したもの（特開平１１−２６２３５３号公報）や、蛇を想起させる模造体を利用したもの（特開平１１−９６号公報、及び、実用新案登録第３１３７１７８号公報）等がある。
【０００３】
しかし、これら従来の防鳥器具の場合、利口な鳥はすぐに模造体であることを見破ってしまう態様のため、一時的には効果があっても、長期間鳥の侵入を防ぐことはできないという問題がある。
【先行技術文献】
【特許文献】
【０００４】
【特許文献１】特開平１１−２６２３５３号公報
【特許文献２】特開平１１−９６号公報
【特許文献３】実用新案登録第３１３７１７８号公報
【発明の概要】
【発明が解決しようとする課題】
【０００５】
本発明は上記従来技術における問題を解決するためになされたもので、学習能力のある利口な鳥に対しても、長期間に亘って侵入防止効果を持続する防鳥器具を提供することを課題とする。
【課題を解決するための手段】
【０００６】
上記課題を解決するための請求項１に記載の発明は、鷹形状に立体成型された鷹模造体の両翼上縁先端部に突起物を備えた防鳥器具であって、前記突起物は耐雨製の薄手の資材製で、周囲に柊の葉に似通った棘形状を有していることを特徴とする防鳥器具である。
【０００７】
好ましくは、前記鷹模造体は全体が黒色とされ、嘴、頭頂部、両翼上縁部、目及び爪が銀色とされ、前記鷹模造体の頭部は、水平線より少し下向きにされ、目線が下向きとなるようにされ、前記突起物は、その下部が本体内部に引き込まれて風を受けて一定方向に揺動するように支持される。
【発明の効果】
【０００８】
本発明に係る防鳥器具は上記のとおりであって、この防鳥器具の場合、鷹模造体の両翼上縁先端部に柊の葉に似通った形状の薄手の資材製突起物が取り付けられていて、この突起物が風を受けて揺動するが、その様は鳥にとっては見慣れないものであって恐怖感を与えるものとなる。従って、この防鳥器具を田畑、果樹園、公園、あるいは、民家等に配備することにより、長期に亘って防鳥効果を発揮させることが可能という効果がある。
【図面の簡単な説明】
【０００９】
【図１】本発明に係る防鳥器具の一実施形態の斜視図である。
【図２】本発明に係る防鳥器具の鷹模造体の構成（頭部及び翼部）を示す斜視図である。
【図３】本発明に係る防鳥器具における突起物の形状例を示す図である。
【図４】本発明に係る防鳥器具における突起物支持方法の一例を示す図である。
【発明を実施するための形態】
【００１０】
本発明に係る防鳥器具につき、添付図面に依拠して説明する。図１は、本発明に係る防鳥器具の一実施形態の斜視図で、図中１は、鷹の形状を模した鷹模造体であり、普通、鷹模造体１は、一般的な鷹の等身大より若干大きめに立体成型される。鷹模造体１は、半割状態に金型成形されたもの（図２（Ａ）、（Ｂ）参照）を、合着により一体にして形成される。好ましくは、対象となる鳥を威嚇するために全体が黒色とされ、嘴６、頭頂部７、目８、両翼縁部９、及び爪１１が銀色となるように色分けされる（着色又は銀紙貼り付け等による。）。また、図１に示すように、鷹模造体１の頭部は、水平線より少し下向きにし、目線が下向きとなるようにすることが好ましい。
【００１１】
本発明に係る防鳥器具は、鷹模造体１の翼部１２の上縁先端部に、鳥にとって見慣れぬ形状であって恐怖感を与え得る、柊の葉に似通った、周囲に棘のある形状の突起物２、３（図３参照）が取り付けられていることを特徴とする。突起物２、３は、樹脂等の耐雨性のある薄手の資材製で、翼部１２の上縁先端部に取り付けられる。図示した例では、突起物２が突起物３よりも少し大きく形成されている。
【００１２】
例えば、突起物２、３は、その軸の下部が本体内部に引き込まれ、風により一定の方向にのみ揺動可能に支持される。図４はそのための構成例を示すもので、そこに示されるように突起物２、３の下部１４は延長されて板材１５に連結される。板材１５は、中空の鷹模造体１の翼部１２内に配備されたケース１６内において揺動可能に軸支される。その軸支は、ケース１６の上方部に配置した枢軸１７を板材１５の上部部分に形成した支持穴１８に遊挿することによって行われる。この構成の場合突起物２、３は、風向きにより、板材１５の振り子運動に伴ってケース１６の横方向Ａに揺動し、また、それと直交する方向Ｂに揺動する。
【００１３】
本発明に係る防鳥器具は、鳥による被害を蒙るおそれのある田畑で使用することができることは固より、他の種々の農畜産物関連施設、あるいは、一般住居において鳥害を避けるために使用することができる。
【００１４】
因みに、本発明者の自宅は、ゴミ袋を漁りに多くのカラスやスズメが集まってくる商店街の飲食店街の裏通りにあり、その３階のバルコニーに高さ２ｍ程のピラカンサスがあり、毎年実がたわわになっている。その実を狙ってカラス等が飛来するため、従来より既存の鳥模造体を配置していたが、ほとんど効き目がなかった。そこで、本発明に係る突起物２、３を備えた鷹模造体１を配置したところ、飛来するカラスは、これを見た途端方向転換して飛び去って行き、以後全く被害を受けていない。
【００１５】
本発明に係る防鳥器具がこのように威力を発揮したのは、突起物２、３の形状と動きがカラスにとって見慣れぬものであり、恐怖感を与えたからに他ならず、これに、カラスやスズメ等が恐れる鷹形状であること、そして、好ましくは全体が黒色で、嘴、頭頂部、両翼縁部、目及び爪が銀色であること、鷹模造体の頭部が、水平線より少し下向きにされ、目線が下向きとなっていて攻撃的姿勢であること等が、相乗的に作用して威嚇効果を高めているものと考えられる。
【００１６】
本発明は上記のとおりであって、鳥の被害に悩まされている農・畜産物関係に携わる人達の大いなる手助けとなることはもちろん、同じく鳥害に悩まされている一般住民の悩みを解決し得るもので、極めて有意義なものである。
【符号の説明】
【００１７】
１    鷹模造体
２    突起物
３    突起物
６    嘴
７    頭頂部
８    目
９    翼縁部
１１    爪
１２    翼部
１４    突起物下部
１５    板材
１６    ケース
１７    枢軸
１８    支持穴
【手続補正２】
【補正対象書類名】特許請求の範囲
【補正対象項目名】全文
【補正方法】変更
【補正の内容】
【特許請求の範囲】
【請求項１】
鷹形状に立体成型された鷹模造体の両翼上縁先端部に突起物を備えた防鳥器具であって、前記突起物は耐雨製の薄手の資材製で、周囲に柊の葉に似通った棘形状を有していることを特徴とする防鳥器具。
【請求項２】
前記鷹模造体は全体が黒色とされ、嘴、頭頂部、両翼上縁部、目及び爪が銀色とされている、請求項１に記載の防鳥器具。
【請求項３】
前記鷹模造体の頭部は、水平線より少し下向きにされ、目線が下向きとなるようにされている、請求項１又は２に記載の防鳥器具。
【請求項４】
前記突起物は、その下部が本体内部に引き込まれ、風を受けて一定方向に揺動するように支持されている、請求項１乃至３のいずれかに記載の防鳥器具。
【手続補正３】
【補正対象書類名】図面
【補正対象項目名】全図
【補正方法】変更
【補正の内容】
【図１】
2012139187.tif 000008
【図２】
2012139187.tif 000009
【図３】
2012139187.tif 000010
【図４】
2012139187.tif 000011
【手続補正書】
【提出日】平成24年4月23日(2012.4.23)
【手続補正１】
【補正対象書類名】明細書
【補正対象項目名】０００６
【補正方法】変更
【補正の内容】
【０００６】
上記課題を解決するための請求項１に記載の発明は、鷹形状に立体成型された鷹模造体の両翼上縁先端部に、耐雨製の薄手の資材製で、風によって動く突起物を備え、前記鷹模造体は全体が黒色とされ、嘴、頭頂部、両翼、目及び爪に銀色が施されていることを特徴とする防鳥器具である。
【手続補正２】
【補正対象書類名】明細書
【補正対象項目名】０００７
【補正方法】変更
【補正の内容】
【０００７】
好ましくは、前記鷹模造体の頭部の目は、水平線より下を向くようにされ、前記突起物は、その下部が本体内部に引き込まれて風を受けて一定方向に揺動するように支持される。
【手続補正３】
【補正対象書類名】明細書
【補正対象項目名】０００８
【補正方法】変更
【補正の内容】
【０００８】
本発明に係る防鳥器具は上記のとおりであって、この防鳥器具の場合、鷹模造体の両翼上縁先端部に、耐雨製の薄手の資材製で、風によって動く突起物を備えていて、この突起物が風を受けて揺動するが、その様は鳥にとっては見慣れないものであって恐怖感を与えるものとなる。従って、この防鳥器具を田畑、果樹園、公園、あるいは、民家等に配備することにより、長期に亘って防鳥効果を発揮させることが可能という効果がある。
【手続補正４】
【補正対象書類名】明細書
【補正対象項目名】００１０
【補正方法】変更
【補正の内容】
【００１０】
本発明に係る防鳥器具につき、添付図面に依拠して説明する。図１は、本発明に係る防鳥器具の一実施形態の斜視図で、図中１は、鷹の形状を模した鷹模造体であり、普通、鷹模造体１は、一般的な鷹の等身大より若干大きめに立体成型される。鷹模造体１は、半割状態に金型成形されたもの（図２（Ａ）、（Ｂ）参照）を、合着により一体にして形成される。好ましくは、対象となる鳥を威嚇するために全体が黒色とされ、嘴６、頭頂部７、目８、両翼縁部９、及び爪１１が銀色となるように色分けされる（着色又は銀紙貼り付け等による。）。また、図１に示すように、鷹模造体１の頭部の目は、水平線より下を向くようにされる。
【手続補正５】
【補正対象書類名】明細書
【補正対象項目名】００１１
【補正方法】変更
【補正の内容】
【００１１】
本発明に係る防鳥器具は、鷹模造体１の翼部１２の上縁先端部に、風によって動く、鳥にとって見慣れぬ形状であって恐怖感を与え得る突起物２、３（図３参照）が取り付けられていることを特徴とする。突起物２、３は、耐雨性のある薄手の資材製で、翼部１２の上縁先端部に取り付けられる。図示した例では、突起物２が突起物３よりも少し大きく形成されている。
【手続補正６】
【補正対象書類名】明細書
【補正対象項目名】００１５
【補正方法】変更
【補正の内容】
【００１５】
本発明に係る防鳥器具がこのように威力を発揮したのは、突起物２、３の形状と動きがカラスにとって見慣れぬものであり、恐怖感を与えたからに他ならず、これに、カラスやスズメ等が恐れる鷹形状であること、全体が黒色で、嘴、頭頂部、両翼縁部、目及び爪が銀色であること、鷹模造体の頭部の目が、水平線より下を向くようにされて攻撃的姿勢であること等が、相乗的に作用して威嚇効果を高めているものと考えられる。
【手続補正７】
【補正対象書類名】特許請求の範囲
【補正対象項目名】全文
【補正方法】変更
【補正の内容】
【特許請求の範囲】
【請求項１】
鷹形状に立体成型された鷹模造体の両翼上縁先端部に、耐雨製の薄手の資材製で、風によって動く突起物を備え、前記鷹模造体は全体が黒色とされ、嘴、頭頂部、両翼、目及び爪に銀色が施されていることを特徴とする防鳥器具。
【請求項２】
前記鷹模造体の頭部の目は、水平線より下を向くようにされている、請求項１に記載の防鳥器具。
【請求項３】
前記突起物は、その下部が本体内部に引き込まれ、風を受けて一定方向に揺動するように支持されている、請求項１又は２に記載の防鳥器具。